(57)【要約】【課題】自動撮影を行う時に想像でセットして映像表示板の映像を確認出来なかった本発明は撮影者が確認しながら撮影が出来る．【解決手段】撮影機の映像表示板の画像をコピーする為に撮影機取り付け台及びシャッター信号受信装置を持った映像コピー機又は携帯電話を取り付け撮影機の映像出力端子、シャッター入力端子と接続し又撮影者が持つ映像コピー機又は携帯電話には映像受信装置、映像表示板及びシャッター信号発信装置を設け、更に表示付きタイマーをシャッターとシャッター信号発信装置の間に設けるか又はシャッター信号発信装置と電子シャツター間．に設ける事による映像コピー機使用による撮影機【特許請求の範囲】
【請求項１】
撮影機取り付け台（１４）に映像転送装置（４）及びシャッター信号受信装置（１５）を持った映像コピー機又は携帯電話（２）を取り付け撮影機（５）の映像出力端子（８）シャッター入力端子（２２）と接続し、又撮影者が持っ映像コピー機又は携帯電話（２）には映像受信装置（１６）映像表示板（７）シャッター信号発信装置（１７）を設け、更に表示付きタイマー（９）をシャッター（３）とシャッター信号発信装置（１７）間に設けるか又はシャッター信号受信装置（１５）と電子シャツター（１０）間に設ける事による映像コピー機使用による撮影機
【請求項２】
撮影機取り付け台（１４）に映像転送装置（４）及びシャッター信号受信装置（１５）を持った映像コピー機又は携帯電話（２）を取り付け撮影機（５）の映像出力端子（８）シャッター入力端子（２２）と接続し、又撮影者が持っ映像コピー機又は携帯電話（２）には映像受信装置（１６）映像表示板（７）を設け、操作機（１）には電源（２３）シャッター（３）シャッター信号発信装置（１７）を設け、更に表示付きタイマー（９）をシャッター（３）とシャッター信号発信装置（１７）間に設けるか又はシャッター信号受信装置（１５）と電子シャツター（１０）間に設ける事による映像コピー機使用による撮影機
【請求項３】
撮影機（５）に映像転送装置（４）及びシャッター信号受信装置（１５）を設け、又撮影者が持っ映像コピー機又は携帯電話（２）には映像受信装置（１６）映像表示板（７）を設け、操作機（１）又は映像コピー機又は携帯電話（２）には電源（２３）シャッター（３）シャッター信号発信装置（１７）を取り付け、更に表示付きタイマー（９）をシャッター（３）とシャッター信号発信装置（１７）間に設けるか又はシャッター信号受信装置（１５）と電子シャツター（１０）間に設ける事による事による映像コピー機使用による撮影機
【請求項４】
撮影機取り付け台（１４）の上側又は下側に垂直方向駆動装置（１８）水平方向駆動用装置（１９）を設け、更に映像転送装置（４）及びシャッター信号受信装置（１５）を設け操作機（１）又は映像コピー機又は携帯電話（２）にはとシャッター入力端子（２２）間に表示付きタイマー（９）を設け更に操作機（１）には電源（２３）シャッター（３）シャッター信号発信装置（１７）更に垂直方向操作ボタン（２０）水平方向操作ボタン（２１）を設け事による映像コピー機使用による撮影機
【発明の詳細な説明】
【技術分野】
【０００１】本発明は、デジタルカメラ、ビデオ撮影機、携帯電話等で映像コピー機を使用して自動撮影を行う分野に関する物である．
【背景技術】
【０００２】従来自動撮影を行う時に想像でセルフタイマーをセットした後、急いで撮影視界まで走って行っていた．
【発明の開示】
【発明が解決しようとする課題】
【０００３】そのために次のような問題点があった．
（イ）映像表示面がレンズ側に向いても１メートル以上離れると役に立たない．
（ロ）シャッターをセットしてから撮影機から急いで撮影範囲まで行く必要があった．
【課題を解決する手段】
【０００４】上記の問題点を解決する為撮影機の映像表示板のコピーを２台使用して１台映像コピー機又は携帯電話に入力して撮影者が持っているもう１台に転送する方法であり、画面を確認しながらシャッターを切ると表示付きタイマー設定時間後シャッターが切れ撮影される．
【発明の効果】
【０００５】その結果、次の効果が生じる．
（イ）撮影機の映像表示板を映像コピー機又は携帯電話機で見ることが出来る．
（ロ）映像表示板を確認しながら自分自身の撮影位置、構成を変えシャッターボタンを押すと表示付きタイマーの設定時間後に電子シャツターが切れ撮影出来る．
（ハ）撮影機取り付け台に水平方向駆動用装置、垂直方向駆動装置を操作機より調節して撮影機の方向を変える事ができる．
（ニ）携帯電話機の機能を少し変えれば映像コピー機として使用出来る．
【発明を実施する為の最良の形態】
【０００６】以下本発明の実施形態について説明する．
（イ）撮影機（５）に撮影機映像表示板（６）のコピーを他に出力する為の映像出力端子（８）及びシャッター入力端子（２２）を設ける．
（ロ）撮影機取り付け台（１４）に映像転送装置（４）及びシャッター信号受信装置（１５）を設定するが、これは携帯電話機はすでにこれに近い機能を持っているので一部仕様を変更すれば利用出来る．
（ハ）図１は撮影機取り付け台（１４）に映像コピー機又は携帯電話（２）を撮影機（５）の映像出力端子（８）及びシャッター入力端子（２２）と接続する．
又撮影者が持つ映像コピー機又は携帯電話（２）には映像受信装置（１６）映像表示板（７）シャッター信号発信装置（１７）を設け、表示付きタイマー（２）を撮影者側か又は撮影機取り付け台（１４）側の映像コピー機又は携帯電話（２）に設ける．
（ニ）図２は電源（２３）シャッター（３）表示付きタイマー（９）更にシャッター信号発信装置（１７）を設けた操作機（１）を持ち、映像表示板（７）を見ながらシャッター信号を発信する方法である．
撮影機取り付け台（１４）のシャッター信号受信装置（１５）で受信して電子シャツター（１０）を切り撮影される．
この操作機（１）による方法だと市販の携帯電話を改造しないで使え、表示付きタイマー（９）は操作機（１）に付けない場合は撮影機取り付け台（１４）側のシャッター信号受信装置（１５）と電子シャツター（１０）間に設けても同様の効果が得られる．
（ホ）図３は撮影機（５）に映像転送装置（４）及びシャッター信号受信装置（１５）表示付きタイマー（９）及び電子シャツター（１０）を設けた例である．
撮影者側よりシャッター信号発信装置（１７）より発信する電波を撮影機（５）が受信して表示付きタイマー（９）の設定時間後に撮影される．
この場合は映像コピー機又は携帯電話（２）は１台でよい．
（ヘ）図４は撮影機取り付け台（１４）の上側に映像転送装置（４）を設け映像出力端子（８）と接続させ、シャッター信号受信装置（１５）とシャッター入力端子（２２）間に表示付きタイマー（９）を設け更に三脚（１１）間に垂直方向駆動装置（１８）、水平方向駆動用装置（１９）を設ける．
一方操作機（１）には電源（２３）シャッター（３）シャッター信号発信装置（１７）を連動する．
更に垂直方向操作ボタン（２０）水平方向操作ボタン（２１）を設ける．
この為映像表示板（７）を確認しながら撮影機（５）の撮影角度、位置を調整出来る．
（ト）図５は撮影機取り付け台（１４）の上側に垂直方向駆動装置（１８）、水平方向駆動用装置（１９）を設け、裏側には三脚取付け具（１１）、を設け三脚（１１）に取り付ける．
この為映像表示板（７）を確認しながら撮影機（５）の撮影角度、位置を調整出来る．
【図面の簡単な説明】
【０００７】
【図１】本発明の斜視図である．
【図２】本発明の斜視図である．
【図３】本発明の斜視図である．
【図４】本発明の斜視図である．
【図５】本発明の斜視図である．
【符号の説明】１．操作機  ２．映像コピー機又は携帯電話  ３．シャッター  ４．映像転送装置  ５．撮影機  ６．撮影機映像表示板  ７．映像表示板  ８．映像出力端子  ９．表示付きタイマー  １０．電子シャツター  １１．三脚  １２．撮影機取り付け金具  １３．三脚取付け具  １４．撮影機取り付け台  １５．シャッター信号受信装置  １６．映像受信装置  １７．シャッター信号発信装置  １８．垂直方向駆動装置  １９．水平方向駆動用装置  ２０．垂直方向操作ボタン  ２１．水平方向操作ボタン  ２２．シャッター入力端子  ２３．電源
【図１】
2011004378.tif 000002
【図２】
2011004378.tif 000003
【図３】
2011004378.tif 000004
【図４】
2011004378.tif 000005
【図５】
2011004378.tif 000006